(57)【要約】      （修正有）【課題】フリーアクセスフロアのフロアパネルの支持脚のレベル設定作業を迅速かつ正確に行うことができると共に、装置自体のコスト増加を防止することができる支持脚レベル設定器を提供する。【解決手段】フリーアクセスフロアのフロアパネルの支持脚２のパネル支持台１４に係合してこれを回転させる係合部材４３と、係合部材４３を異なる回転速度で回転させる駆動部４７と、レーザー光２２を受光した時に、駆動部４７に対して係合部材４３の回転を停止させる信号４１ｂを出力する第１受光部４６と、第１受光部４６に対して鉛直上方向に所定の間隔をおいて離れた位置に設けられ、レーザー光２２を受光した時に、駆動部４７に対して係合部材４３の回転を変化させる信号を出力する第２受光部４８を備え、係合部材４３が異なる回転速度で回転することにより、支持脚２のパネル支持台１４が異なる速度で上昇するように構成されている。【選択図】図７
2020106411.tif 000002
【特許請求の範囲】
【請求項１】
フリーアクセスフロアのフロアパネルの支持脚のパネル支持台に係合してこれを回転させる係合部材と、
前記係合部材を異なる回転速度で回転させる駆動部と、
レーザー光を受光した時に、前記駆動部に対して前記係合部材の回転を停止させる信号を出力する第１受光部と、
前記第１受光部に対して鉛直上方向に所定の間隔をおいて離れた位置に設けられ、前記レーザー光を受光した時に、前記駆動部に対して前記係合部材の回転を変化させる信号を出力する第２受光部を備え、
前記係合部材が異なる回転速度で回転することにより、前記支持脚の前記パネル支持台が異なる速度で上昇するように構成されている
ことを特徴とする支持脚レベル設定器。
【請求項２】
フリーアクセスフロアのフロアパネルの支持脚のパネル支持台に係合してこれを回転させる係合部材と、
前記係合部材を異なる回転速度で回転させる駆動部と、
レーザー光を受光した時に、前記駆動部に対して前記係合部材の回転を変化させる信号を出力する第１受光部と、
前記第１受光部に対して鉛直上方向に所定の間隔をおいて離れた位置に設けられ、前記レーザー光を受光した時に、前記駆動部に対して前記係合部材の回転を停止させる信号を出力する第２受光部を備え、
前記係合部材が異なる回転速度で回転することにより、前記支持脚の前記パネル支持台が異なる速度で下降するように構成されている
ことを特徴とする支持脚レベル設定器。
【請求項３】
前記係合部材の回転を変化させる信号は、前記係合部材の回転を減速させる信号である
ことを特徴とする請求項１又は２に記載の支持脚レベル設定器。
【請求項４】
前記駆動部は、前記係合部材を回転させるモーターを備える
ことを特徴とする請求項１から３のいずれかに記載の支持脚レベル設定器。
【請求項５】
前記モーターの起動と停止を手動で切り替える第１のスイッチを備える
ことを特徴とする請求項４に記載の支持脚レベル設定器。
【請求項６】
前記係合部材が前記パネル支持台の支持面の上に載置された時に、前記モーターを起動させ、前記係合部材が前記パネル支持台の支持面から離れた時に、前記モーターを停止させる第２のスイッチを備える
ことを特徴とする請求項４に記載の支持脚レベル設定器。
【請求項７】
前記係合部材が着脱自在に結合されている
ことを特徴とする請求項１から６のいずれかに記載の支持脚レベル設定器。
【請求項８】
前記支持脚レベル設定器の水平方向に対する傾きを検出する傾斜検出部を備える
ことを特徴とする請求項１から７のいずれかに記載の支持脚レベル設定器。
【請求項９】
前記傾斜検出部が検出した前記傾きに応じた音を出力する音声出力部を備える
ことを特徴とする請求項８に記載の支持脚レベル設定器。
【発明の詳細な説明】
【技術分野】
【０００１】
本発明は、フリーアクセスフロアの支持脚の高さ位置を設定するために用いられる支持脚レベル設定器に関するものである。
【背景技術】
【０００２】
建築構造物の基礎床の上方に空間を隔てて第２の床面を形成するフリーアクセスフロアにおいては、建築構造物の基礎床の上に複数の支持脚が立設され、これら複数の支持脚によって、複数のフロアパネルが基礎床の上方に所定の間隔をおいて支持されるようになっていた（例えば、特許文献１参照）。
【０００３】
そして、このようなフリーアクセスフロアはその施工時において、上記第２の床面を水平に設置するために、基礎床の上に立設された複数の支持脚について、それぞれの支持脚のパネル支持台の基礎床からの高さ位置を所定の高さに設定する作業（レベル設定作業）を行う必要があり、細かな傾斜や凹凸のある基礎床の上に立設された多数の支持脚について、効率よく正確にレベル設定作業を行うための支持脚レベル設定器が用いられていた（例えば、特許文献２参照）。
【０００４】
図１０ないし図１３は、フリーアクセスフロア６の支持脚２のレベル設定作業に用いられる従来の支持脚レベル設定器３０について説明するために参照する図である。
【０００５】
フリーアクセスフロア６においては、図１２に示すように、建築構造物の鉄筋コンクリート等により形成された基礎床３の上に支持脚２が立設され、この支持脚２によって複数のフロアパネル４が下側から支持されるようになっていた。
【０００６】
フリーアクセスフロア６の支持脚２は、図１３（ａ）に示すように、基礎床３の上に立設される脚部１６と、この脚部１６の上部に設けられたパネル支持台１４を備えていた。
【０００７】
支持脚２の脚部１６は、板状のベースプレート１６ａと、ベースプレート１６ａの上面の略中央から図１３（ａ）中上方に伸びるように立設された丸棒状の支柱１６ｂを備え、この支柱１６ｂの外周部にはオネジ部１６ｃが形成されていた。
【０００８】
支持脚２のパネル支持台１４は、図１３（ａ）中上下方向に軸線を有する円筒形状の下方筒状部１４ａと、下方筒状部１４ａの上端部からその半径方向（水平方向）の外側に向けて放射状に広がる略円板状（図１３（ｂ）参照）の支持部１８と、支持部１８の上面の略中央から図１３（ａ）中上方向に突出するように形成された、下方筒状部１４ａと同一軸線上にその軸線を有する円筒形状の上方筒状部１４ｂを備えていた。
【０００９】
そして、図１３（ａ）に示すように、パネル支持台１４の下方筒状部１４ａには、その円筒形状の中心孔の内周部にメネジ部１４ｃが形成されており、このメネジ部１４ｃに対して脚部１６の支柱１６ｂに形成されたオネジ部１６ｃが下側からネジ結合されていた。
【００１０】
これにより、パネル支持台１４の下方筒状部１４ａに脚部１６の支柱１６ｂがネジ結合された状態で、そのネジの螺旋軌跡に沿ってパネル支持台１４が脚部１６に対して相対ネジ回転することによって、パネル支持台１４の支持部１８と脚部１６のベースプレート１６ａの間隔、すなわち、パネル支持台１４の支持部１８の基礎床３からの高さ位置を変更することができるようになっていた。
【００１１】
そして、パネル支持台１４の支持部１８の基礎床３からの高さ位置が所望の高さに設定された状態で、図１３（ａ）に示すように、パネル支持台１４の下方筒状部１４ａの側面に開口するメネジ孔１４ｅに高さ固定ボルト７をネジ結合し、この高さ固定ボルト７を、その先端部が脚部１６の支柱１６ｂに向かって進むように締め付けることにより、パネル支持台１４の支持部１８の基礎床３からの高さ位置が固定されるようになっていた。
【００１２】
また、図１３（ａ）及び（ｂ）に示すように、パネル支持台１４の支持部１８の上面には平坦な支持面１８ａが形成され、この支持面１８ａと上方筒状部１４ｂの外周面との間の角部を埋めるように、支持面１８ａから上方に突出し、かつ上方筒状部１４ｂの外周面から半径方向外側に伸びる４つの板状の突起１９が、上方筒状部１４ｂの軸線を中心として、互いの角度が略９０度になるように放射状に形成されていた。
【００１３】
このような支持脚２を用いたフリーアクセスフロア６においては、図１２に示すように、最大で４つのフロアパネル４が、それぞれの四隅部を互いに突き合わせるように配置された状態で、基礎床３の上に立設された支持脚２のパネル支持台１４の支持面１８ａの上に載置されていた。
【００１４】
このとき、図１２に示すように、パネル支持台１４に形成された４つの突起１９が、パネル支持台１４の支持面１８ａの上に載置された４つのフロアパネル４の、互いに突き合わせるように配置された四隅部の、互いに隣り合う四隅部の間に配置されるようになっており、これにより、パネル支持台１４の支持面１８ａの上に載置されたフロアパネル４の水平方向の位置ずれが防止されるようになっていた。
【００１５】
そして、図１３（ａ）に示すように、支持脚２のパネル支持台１４の上方筒状部１４ｂには、その円筒形状の中心孔の内周部にメネジ部１４ｄが形成され、図１２に示すように、このメネジ部１４ｄに対して皿ボルト２０のオネジ部２０ｂが上側からネジ結合され、この皿ボルト２０を、その頭部２０ａがパネル支持台１４の支持部１８に接近するように締め付けることにより、フロアパネル４の四隅部がパネル支持台１４の支持部１８と皿ボルト２０の頭部２０ａの間に挟まれて動かないように固定されていた。
【００１６】
このようにして、複数のフロアパネル４が複数の支持脚２によって支持されることにより、基礎床３の上方に所定の空間を隔てて第２の床面が形成されるフリーアクセスフロア６が構成されるようになっていた。
【００１７】
そして、このようなフリーアクセスフロア６に用いられる複数の支持脚２について、それぞれの支持脚２のパネル支持台１４の支持部１８の基礎床３からの高さ位置を所定の高さに設定する作業（レベル設定作業）を効率よく正確に行うために、図１０に示すような支持脚レベル設定器３０が用いられていた。
【００１８】
従来の支持脚レベル設定器３０は、図１０に示すように、略箱状の本体部３１と、略二股棒状の結合部材３２と、略円板状の係合部材３３を備えていた。
【００１９】
支持脚レベル設定器３０の本体部３１は、その内部に、本体部３１の図１０中手前側の側面に設けられた細長い長方形の受光窓３６ａを有する受光部３６と、図１０中上下方向に伸びる回転軸を備えたモーター３７ａを有する駆動部３７を備え、本体部３１の上部には、作業者が支持脚レベル設定器３０を保持するための略棒状のグリップ３４と、作業者が手動で支持脚レベル設定器３０を起動／停止するためのスイッチ３５が設けられていた。
【００２０】
支持脚レベル設定器３０の結合部材３２は、その上端部が本体部３１の駆動部３７のモーター３７ａの回転軸に結合されると共に、その二股に分岐した下端部が係合部材３３の上面に固定されていた。
【００２１】
支持脚レベル設定器３０の係合部材３３は、図１０中上下方向に所定の厚さを有する略円板状に形成され、その上面の略中央には、係合部材３３を厚さ方向に貫通する係合孔３３ａが形成され、この係合孔３３ａの水平断面形状は、支持脚２の支持面１８ａ上における、上方筒状部１４ｂと４つの突起１９の下端部の外形の水平断面（図１３（ｂ）参照）よりわずかに大きく形成されていた。
【００２２】
このような従来の支持脚レベル設定器３０は、図１１（ａ）に示すように、その係合部材３３が支持脚２のパネル支持台１４の支持部１８の上に載置され、係合部材３３の下面が支持脚２の支持面１８ａに接触すると共に、上方筒状部１４ｂと４つの突起１９が係合孔３３ａの下側からその内部に挿通されるようにして、支持脚２に取り付けることができるようになっていた。
【００２３】
そして、この状態でスイッチ３５を操作して支持脚レベル設定器３０を起動して、駆動部３７のモーター３７ａが回転することにより、支持脚２の上方筒状部１７ｂと４つの突起１９が、係合部材３３の係合孔３３ａの内側面に係合して、パネル支持台１４を脚部１６に対して相対ネジ回転し、その結果、パネル支持台１４の支持部１８の基礎床３からの高さ位置が変更されるようになっていた。
【００２４】
このような従来の支持脚レベル設定器３０を用いて、支持脚２のレベル設定作業を行うためには、まず、図１１（ａ）に示すように、基礎床３より上方の所定の高さ位置に水平方向にレーザー光２２を照射するレーザー光発生装置２１を設置し、レベル設定作業を行う支持脚２を、予めパネル支持台１４の高さ位置が最も低い状態にして基礎床３の上に立設し、支持脚２のパネル支持台１４の支持部１８の上に支持脚レベル設定器３０を取り付けて、支持脚レベル設定器３０の受光部３６の受光窓３６ａがレーザー光発生装置２１の方向を向くように、支持脚レベル設定器３０の向きを設定する。
【００２５】
このとき、レーザー光発生装置２１から照射されるレーザー光２２は、図１１（ａ）に示すように、支持脚レベル設定器３０の受光部３６の受光窓３６ａより上方に照射されるように、その高さ位置を設定する。
【００２６】
そして、スイッチ３５を操作して支持脚レベル設定器３０を起動して、駆動部３７のモーター３７ａが回転すると、支持脚２のパネル支持台１４が脚部１６に対して相対ネジ回転し、それに伴い支持脚２のパネル支持台１４の支持部１８が上昇し、支持部１８の上に載置された支持脚レベル設定器３０の高さ位置も上昇する。
【００２７】
そして、図１１（ｂ）に示すように、支持脚レベル設定器３０の受光窓３６ａの高さ位置がレーザー光２２の高さ位置まで、支持脚２のパネル支持台１４の支持部１８が上昇し、支持脚レベル設定器３０の受光窓３６ａにレーザー光２２が照射されると、受光部３６からモーター３７ａの回転を停止させる停止信号３１ａが駆動部３７に対して出力される。
【００２８】
そして、停止信号３１ａを受信した駆動部３７がモーター３７ａの回転を停止することにより、支持脚２のパネル支持台１４の支持部１８の上昇が停止し、支持脚２のパネル支持台１４の支持部１８の高さ位置が目的の高さに設定される。
【００２９】
このように、支持脚２のパネル支持台１４の支持部１８の基礎床３からの高さ位置Ｈは、図１１（ｂ）に示すように、基礎床３からレーザー光２２までの距離Ｌ１と、支持脚レベル設定器３０の係合部材３３の下面から受光部３６の受光窓３６ａまでの距離Ｌ２の差として決定されるため、これらの距離Ｌ１，Ｌ２を予め適切に設定することにより、支持脚２のパネル支持台１４の支持部１８の基礎床３からの高さ位置Ｈを目的の高さに正確に設定することができるようになっていた。
【００３０】
このように、従来の支持脚レベル設定器３０を用いることにより、基礎床３の上に立設された多数の支持脚２のレベル設定作業を、効率よく正確に行うことができるようになっていた。
【先行技術文献】
【特許文献】
【００３１】
【特許文献１】特開２００８−２１２６号公報
【特許文献２】特開２０１８−１１２４１７号公報
【発明の概要】
【発明が解決しようとする課題】
【００３２】
しかしながら、上述したような従来の支持脚レベル設定器３０においては、支持脚２のレベル設定作業に要する時間を更に短縮しようとした場合に、却ってレベル設定作業の効率が低下したり、支持脚レベル設定器自体のコストが増加したりするおそれがあるという問題があった。
【００３３】
すなわち、従来の支持脚レベル設定器３０を用いた支持脚２のレベル設定作業において、その作業時間を短縮するためには、１つの支持脚２のパネル支持台１４の高さ位置をより素早く設定する必要があり、そのためには、支持脚レベル設定器３０の駆動部３７のモーター３７ａの回転数を大きくする必要があった。
【００３４】
しかしながら、駆動部３７のモーター３７ａの回転数を大きくすると、駆動部３７が停止信号３１ａを受信してから（図１１（ｂ）参照）、モーター３７ａが完全に停止するまでに要する時間が長くなるため、支持脚レベル設定器３０の受光部３６がレーザー光２２を受光してから、支持脚２のパネル支持台１４の上昇が完全に停止するまでに時間かかり、パネル支持台１４の高さ位置が目的とする高さ位置からずれてしまうおそれがあった。
【００３５】
そして、支持脚２のパネル支持台１４の高さ位置がずれてしまうと、レベル設定作業を最初からやり直さなければならず、却って作業効率が低下するおそれがあった。
【００３６】
また、例えば、駆動部３７のモーター３７ａにステッピングモーター等を採用し、モーターの停止を正確に制御することも考えられるが、そのようなモーターは非常に高価であり、モーターの制御を行う複雑な電子回路も必要となるため、支持脚レベル設定器自体のコストが増加するおそれがあった。
【００３７】
そこで本発明は、上記問題点に鑑みて、フリーアクセスフロアのフロアパネルの支持脚のレベル設定作業を迅速かつ正確に行うことができると共に、装置自体のコスト増加を防止することができる支持脚レベル設定器を提供することを課題とするものである。
【課題を解決するための手段】
【００３８】
上記課題を解決するために、本発明による支持脚レベル設定器は、
フリーアクセスフロアのフロアパネルの支持脚のパネル支持台に係合してこれを回転させる係合部材と、
前記係合部材を異なる回転速度で回転させる駆動部と、
レーザー光を受光した時に、前記駆動部に対して前記係合部材の回転を停止させる信号を出力する第１受光部と、
前記第１受光部に対して鉛直上方向に所定の間隔をおいて離れた位置に設けられ、前記レーザー光を受光した時に、前記駆動部に対して前記係合部材の回転を変化させる信号を出力する第２受光部を備え、
前記係合部材が異なる回転速度で回転することにより、前記支持脚の前記パネル支持台が異なる速度で上昇するように構成されている
ことを特徴とするものである。
【００３９】
また、本発明による支持脚レベル設定器は、
フリーアクセスフロアのフロアパネルの支持脚のパネル支持台に係合してこれを回転させる係合部材と、
前記係合部材を異なる回転速度で回転させる駆動部と、
レーザー光を受光した時に、前記駆動部に対して前記係合部材の回転を変化させる信号を出力する第１受光部と、
前記第１受光部に対して鉛直上方向に所定の間隔をおいて離れた位置に設けられ、前記レーザー光を受光した時に、前記駆動部に対して前記係合部材の回転を停止させる信号を出力する第２受光部を備え、
前記係合部材が異なる回転速度で回転することにより、前記支持脚の前記パネル支持台が異なる速度で下降するように構成されている
ことを特徴とするものである。
【００４０】
また、本発明による支持脚レベル設定器は、
前記係合部材の回転を変化させる信号は、前記係合部材の回転を減速させる信号である
ことを特徴とするものである。
【００４１】
また、本発明による支持脚レベル設定器は、
前記駆動部は、前記係合部材を回転させるモーターを備える
ことを特徴とするものである。
【００４２】
また、本発明による支持脚レベル設定器は、
前記モーターの起動と停止を手動で切り替える第１のスイッチを備える
ことを特徴とするものである。
【００４３】
また、本発明による支持脚レベル設定器は、
前記係合部材が前記パネル支持台の支持面の上に載置された時に、前記モーターを起動させ、前記係合部材が前記パネル支持台の支持面から離れた時に、前記モーターを停止させる第２のスイッチを備える
ことを特徴とするものである。
【００４４】
また、本発明による支持脚レベル設定器は、
前記係合部材が着脱自在に結合されている
ことを特徴とするものである。
【００４５】
また、本発明による支持脚レベル設定器は、
前記支持脚レベル設定器の水平方向に対する傾きを検出する傾斜検出部を備える
ことを特徴とするものである。
【００４６】
また、本発明による支持脚レベル設定器は、
前記傾斜検出部が検出した前記傾きに応じた音を出力する音声出力部を備える
ことを特徴とするものである。
【発明の効果】
【００４７】
このような本発明の支持脚レベル設定器によれば、
フリーアクセスフロアのフロアパネルの支持脚のパネル支持台に係合してこれを回転させる係合部材と、
前記係合部材を異なる回転速度で回転させる駆動部と、
レーザー光を受光した時に、前記駆動部に対して前記係合部材の回転を停止させる信号を出力する第１受光部と、
前記第１受光部に対して鉛直上方向に所定の間隔をおいて離れた位置に設けられ、前記レーザー光を受光した時に、前記駆動部に対して前記係合部材の回転を変化させる信号を出力する第２受光部を備え、
前記係合部材が異なる回転速度で回転することにより、前記支持脚の前記パネル支持台が異なる速度で上昇するように構成されていることにより、
フリーアクセスフロアのフロアパネルの支持脚のレベル設定作業を迅速かつ正確に行うことができると共に、装置自体のコスト増加を防止することができる。
【図面の簡単な説明】
【００４８】
【図１】本発明の第１の実施の形態に係る支持脚レベル設定器４０を示す斜視図である。
【図２】図１に示す支持脚レベル設定器４０の下側の、結合部材４２及び係合部材４３の周辺を拡大して示す斜視図である。
【図３】支持脚レベル設定器４０の係合部材４３を示す図であり、図３（ａ）はその上面図であり、図３（ｂ）はその下面図である。
【図４】支持脚レベル設定器４０の支持脚２への取り付け方法を説明するための概略斜視図である。
【図５】図４に示す支持脚レベル設定器４０の下側の、結合部材４２、係合部材４３、及び支持脚２の周辺を拡大して示す概略斜視図である。
【図６】支持脚レベル設定器４０を用いた支持脚２のレベル設定作業の手順を説明するための概略側面図である。
【図７】支持脚レベル設定器４０を用いた支持脚２のレベル設定作業の手順を説明するための概略側面図である。
【図８】本発明の第２の実施の形態に係る支持脚レベル設定器５０を示す図であり、図８（ａ）はその斜視図であり、図８（ｂ）はその使用方法を説明するための概略斜視図である。
【図９】本発明の第３の実施の形態に係る支持脚レベル設定器６０を示す図であり、図９（ａ）はその斜視図であり、図９（ｂ）はその使用方法を説明するための概略側面図である。
【図１０】従来の支持脚レベル設定器３０を示す斜視図である。
【図１１】図１０に示す支持脚レベル設定器３０を用いた支持脚２のレベル設定作業の手順を説明するための概略側面図である。
【図１２】フリーアクセスフロア６の構造を示す概略側面図である。
【図１３】フリーアクセスフロア６の支持脚２を示す図であり、図１３（ａ）はその側面図であり、図１３（ｂ）はその上面図である。
【発明を実施するための形態】
【００４９】
以下、本発明に係る支持脚レベル設定器を実施するための形態について、図面に基づいて具体的に説明する。
【００５０】
図１から図７は、本発明の第１の実施の形態に係る支持脚レベル設定器４０について説明するために参照する図である。
【００５１】
本実施の形態に係る支持脚レベル設定器４０は、図１に示すように、略箱状の本体部４１と、略二股棒状の結合部材４２と、略円板状の係合部材４３を備えている。
【００５２】
支持脚レベル設定器４０の本体部４１は、図１に示すように、その内部に、レーザー光２２（図６及び図７参照）を受光するための第１受光部４６及び第２受光部４８と、結合部材４２及び係合部材４３を回転させるための、図中上下方向に伸びる回転軸を備えたモーター４７ａを有する駆動部４７を備えている。
【００５３】
そして、本体部４１の上部には、支持脚２（図６及び図７参照）のレベル設定作業を行う作業者が支持脚レベル設定器４０を保持するための略棒状のグリップ４４と、作業者が手動で支持脚レベル設定器４０を起動／停止するためのスイッチ４５（第１のスイッチ）が設けられている。
【００５４】
本体部４１の第１受光部４６及び第２受光部４８は、本体部４１の図１中手前側の側面に設けられた細長い長方形状の受光窓４６ａ，４８ａと、受光窓４６ａ，４８ａを通過したレーザー光２２を受光する受光素子（不図示）等から構成されている。
【００５５】
そして、図１に示すように、第２受光部４８は、第１受光部４６に対して鉛直上方向に所定の間隔をおいて離れた位置に設けられており、第２受光部４８の受光窓４８ａは、本体部４１の図中手前側の側面の、第１受光部４６の受光窓４６ａに対して鉛直上方向に所定の間隔Ｄをおいて離れた位置に設けられている。
【００５６】
支持脚レベル設定器４０の結合部材４２は、図２に示すように、図中上下方向に伸びて、その上端部が本体部４１の駆動部４７に結合された上側棒状部４２ａと、図中左右方向に伸びて、上側棒状部４２ａの図中下端部から図中右方向と図中左方向に分岐するように形成された分岐棒状部４２ｂと、分岐棒状部４２ｂの図中右端部から図中下側方向に伸びる下側棒状部４２ｃと、分岐棒状部４２ｂの図中左端部から図中下側方向に伸びる下側棒状部４２ｄを備えている。
【００５７】
そして、上側棒状部４２ａの中心軸線４２ｅを延長した線と、係合部材４３の中心軸線４３ａが一致するように、結合部材４２の下側に係合部材４３が配置され、結合部材４２の下側棒状部４２ｃ，４２ｄの下端部が、係合部材４３の上面４３ｂにそれぞれ固定されている。
【００５８】
これにより、駆動部４７のモーター４７ａ（図１参照）が回転することにより、図２に示すように、結合部材４２が、その上側棒状部４２ａの中心軸線４２ｅを中心として回転し、係合部材４３も、結合部材４２の回転に連動して、その中心軸線４３ａを中心として回転するようになっている。
【００５９】
係合部材４３は、図２及び図３に示すように、略円形の上面４３ｂと下面４３ｃを有する略円板状に形成されると共に、その上面の略中央には、係合部材４３を厚さ方向に貫通する係合孔４３ｄが形成されている。
【００６０】
係合孔４３ｄは、図３に示すように、係合部材４３の中心部分を貫通する開口形状が略円形の貫通孔４３ｅと、貫通孔４３ｅの内周面の、互いに略９０度の間隔を空けた４箇所から、貫通孔４３ｅの内周面から半径方向外側にそれぞれ伸びる開口形状が略長方形の４つの貫通孔４３ｆから形成されており、その水平断面形状は、支持脚２の支持面１８ａ上における、上方筒状部１４ｂと４つの突起１９の下端部の外形の水平断面（図１３（ｂ）参照）よりわずかに大きく形成されている。
【００６１】
これにより、図５（ａ）及び（ｂ）に示すように、支持脚２のパネル支持台１４の支持面１８ａの上に支持脚レベル設定器４０の係合部材４３を載置した際に、係合部材４３の下面が支持脚２の支持面１８ａに接触すると共に、支持脚２の上方筒状部１７ｂが係合孔４３ｄの貫通孔４３ｅを挿通し、支持脚２の４つの突起１９が係合孔４３ｄの４つの貫通孔４３ｆをそれぞれ挿通するようになっている。
【００６２】
そのため、図４（ｂ）及び図５（ｂ）に示すように、支持脚２のパネル支持台１４の支持部１８の上に係合部材４３が載置された状態で、係合部材４３がその中心軸線４３ａ（図２参照）を中心として回転することにより、係合部材４３の係合孔４３ｄの内側面に支持脚２の上方筒状部１７ｂと突起１９が係合して（図５（ｂ）参照）、支持脚２のパネル支持台１４も脚部１６に対して相対ネジ回転するようになっている。
【００６３】
このように、支持脚レベル設定器４０が支持脚２のパネル支持台１４の支持面１８ａの上に載置された状態で、その駆動部４７のモーター４７ａが回転することにより、その回転力が結合部材４２及び係合部材４３を介して支持脚２のパネル支持台１４に伝達され、パネル支持台１４が脚部１６に対して相対ネジ回転するようになっている。
【００６４】
また、図２及び図３（ｂ）に示すように、係合部材４３の下面４３ｃには押しボタン式のスイッチ４３ｇ（第２のスイッチ）が設けられており、図４（ｂ）に示すように、支持脚２のパネル支持台１４の支持部１８の上に係合部材４３が載置された時に、スイッチ４３ｇが押されるようになっている。
【００６５】
そして、支持脚レベル設定器４０の係合部材４３が支持脚２のパネル支持台１４の支持部１８の上に載置されて、係合部材４３のスイッチ４３ｇが押下された時に（図４（ｂ）及び図５（ｂ）参照）、本体部４１の駆動部４７のモーター４７ａが回転し、係合部材４３が支持脚２のパネル支持台１４の支持部１８から離れた時に、スイッチ４３ｇがオフ状態になり、モーター４７ａが停止するようになっている。
【００６６】
そのため、支持脚レベル設定器４０が支持脚２のパネル支持台１４の支持部１８の上に載置されていない場合や、何かの拍子に支持脚レベル設定器４０が支持脚２のパネル支持台１４の支持部１８から外れた場合には、スイッチ４３ｇがオフ状態になり、駆動部４７のモーター４７ａの回転が停止するため、作業者が支持脚２のレベル設定作業を安全に行うことができるようになっている。
【００６７】
このような支持脚レベル設定器４０を用いて、支持脚２のレベル設定作業を行うためには、まず、図６（ａ）に示すように、基礎床３より上方の所定の高さ位置に水平方向にレーザー光２２を照射するレーザー光発生装置２１を設置し、レベル設定作業を行う支持脚２を、予めパネル支持台１４の高さ位置が最も低い状態にして基礎床３の上に立設する。
【００６８】
そして、支持脚レベル設定器４０を支持脚２のパネル支持台１４の支持部１８の上に取り付けて、支持脚レベル設定器４０の第１受光部４６及び第２受光部４８の受光窓４６ａ，４８ａがレーザー光発生装置２１の方向を向くように、支持脚レベル設定器４０の向きを設定する。
【００６９】
このとき、レーザー光発生装置２１から照射されるレーザー光２２は、図６（ａ）に示すように、支持脚レベル設定器４０の第２受光部４８の受光窓４８ａより上方に照射されるように、その高さ位置を設定する。
【００７０】
そして、スイッチ４５を操作して支持脚レベル設定器４０を起動すると、駆動部４７のモーター４７ａが高速の回転速度Ｓ１で回転を開始する（図６（ａ）参照）。
【００７１】
そして、モーター４７ａが回転することにより、支持脚２のパネル支持台１４が脚部１６に対して相対ネジ回転し、それに伴い支持脚２のパネル支持台１４の支持部１８が上昇し、支持部１８の上に載置された支持脚レベル設定器４０の高さ位置も上昇する。
【００７２】
そして、図６（ｂ）に示すように、支持脚レベル設定器４０の第２受光部４８の受光窓４８ａの高さ位置がレーザー光２２の高さ位置まで、支持脚２のパネル支持台１４の支持部１８が上昇し、支持脚レベル設定器４０の第２受光部４８の受光窓４８ａにレーザー光２２が照射されると、第２受光部４８からモーター４７ａの回転速度を減速させる減速信号４１ａが駆動部４７に対して出力される。
【００７３】
そして、減速信号４１ａを受信した駆動部４７は、モーター４７ａの回転速度を、高速の回転速度Ｓ１から低速の回転速度Ｓ２に減速させる（図６（ｂ）参照）。
【００７４】
そして、駆動部４７のモーター４７ａは減速された低速の回転速度Ｓ２で回転を継続し、それに伴い、支持脚２のパネル支持台１４の支持部１８も、減速信号４１ａを受信する前よりゆっくりとした速度で上昇を継続する。
【００７５】
そして、図７（ａ）に示すように、支持脚レベル設定器４０の第１受光部４６の受光窓４６ａの高さ位置がレーザー光２２の高さ位置まで、支持脚２のパネル支持台１４の支持部１８が上昇し、支持脚レベル設定器４０の第１受光部４６の受光窓４６ａにレーザー光２２が照射されると、第１受光部４８からモーター４７ａの回転速度を停止させる停止信号４１ｂが駆動部４７に対して出力される。
【００７６】
そして、駆動部４７が停止信号４１ｂを受信した時点で、モーター４７ａは低速の回転速度Ｓ２で回転しているため、停止信号４１ｂを受信した駆動部４７は、モーター４７ａが高速で回転していた時に比べて、その回転を極めて短時間で停止することができ、これにより、支持脚２のパネル支持台１４の支持部１８の上昇もすぐに停止するため、支持脚２のパネル支持台１４の支持部１８の高さ位置を目的の高さ位置Ｈに正確に設定することができる（図７（ａ）参照）。
【００７７】
このように、支持脚２のパネル支持台１４の支持部１８の基礎床３からの高さ位置Ｈは、図７（ｂ）に示すように、基礎床３からレーザー光２２までの距離Ｌ１と、支持脚レベル設定器４０の係合部材４３の下面から第１受光部４６の受光窓４６ａまでの距離Ｌ３の差として決定されるため、これらの距離Ｌ１，Ｌ３を予め適切に設定することにより、支持脚２のパネル支持台１４の支持部１８の基礎床３からの高さ位置Ｈを目的の高さに正確に設定することができるようになっている。
【００７８】
また、モーター４７ａが高速の回転速度Ｓ１から低速の回転速度Ｓ２まで減速するのに要する時間によって、２つの受光部の受光窓の間の距離Ｄ（図１及び図７（ｂ）参照）が決定されるため、距離Ｄを大きくすることにより、支持脚レベル設定器４０の起動時のモーター４７ａの回転速度Ｓ１をより高速にすることができる。
【００７９】
このような支持脚レベル設定器４０を用いることにより、支持脚２のレベル設定作業を迅速かつ正確に行うことができる。
【００８０】
すなわち、受光部を２つ設けることにより、支持脚２のパネル支持台１４の支持部１８の高さ位置が目的の高さ位置Ｈに達する前の段階で、駆動部４７のモーター４７ａの回転速度の減速を開始させることができるため、パネル支持台１４の支持部１８の高さ位置が目的の高さ位置Ｈに達したときには、モーター４７ａの回転速度は十分に減速され、その回転を短時間で停止することができるようになっている。
【００８１】
これにより、支持脚レベル設定器４０を起動時のモーター４７ａの回転速度Ｓ１を高速にしても、支持脚２のパネル支持台１４の支持面１８ａの基礎床３からの高さ位置を正確に設定することができるため、支持脚２のレベル設定作業を迅速に行うことができる。
【００８２】
そして、このような支持脚レベル設定器４０を用いることにより、ステッピングモーター等の高性能かつ高価なモーターや、その制御を行うための複雑な電子回路が不要なため、支持脚レベル設定器４０自体のコストが増加することを防止することができる。
【００８３】
このように、本実施の形態に係る支持脚レベル設定器４０によれば、フリーアクセスフロアのフロアパネルの支持脚のレベル設定作業を迅速かつ正確に行うことができると共に、装置自体のコスト増加を防止することができる。
【００８４】
なお、本実施の形態に係る支持脚レベル設定器４０においては、図６及び図７に示すように、係合部材４３が回転することによって、支持脚２のパネル支持台１４の高さ位置が最も低い状態（図６（ａ）参照）から上昇するように構成されているが、これと反対に、係合部材４３が回転することによって、支持脚２のパネル支持台１４の高さ位置が下降するように構成されていてもよい。
【００８５】
その場合、レベル設定作業を行う支持脚２は、予めパネル支持台１４の高さ位置を最も高い状態にして基礎床３の上に立設され、レーザー光発生装置２１から照射されるレーザー光２２は、支持脚レベル設定器４０の第１受光部４６の受光窓４６ａより下方に照射されるように、その高さ位置が設定される。
【００８６】
そして、スイッチ４５を操作することにより、駆動部４７のモーター４７ａが高速の回転速度Ｓ１で回転し、それに伴い支持脚２のパネル支持台１４が下降し、パネル支持台１４の支持部１８に載置された支持脚レベル設定器４０の高さ位置が下降する。
【００８７】
そして、支持脚レベル設定器４０の第１受光部４６の受光窓４６ａの高さ位置がレーザー光２２の高さ位置まで、支持脚２のパネル支持台１４が下降して、受光窓４６ａにレーザー光２２が照射されると、減速信号４１ａが第１受光部４６から駆動部４７に対して出力されるようになっており、減速信号４１ａを受信した駆動部４７がモーター４７ａの回転速度を低速の回転速度Ｓ２に減速する。
【００８８】
そして、支持脚２のパネル支持台１４はゆっくりとした速度で下降を継続し、支持脚レベル設定器４０の第２受光部４８の受光窓４８ａの高さ位置がレーザー光２２の高さ位置まで、支持脚２のパネル支持台１４が下降して、受光窓４８ａにレーザー光２２が照射されると、停止信号４１ｂが第２受光部４８から駆動部４７に対して出力されるようになっており、停止信号４１ｂを受信した駆動部４７がモーター４７ａの回転を停止し、支持脚２のパネル支持台１４の下降が停止する。
【００８９】
このように、係合部材４３が回転することによって、支持脚２のパネル支持台１４が下降するように構成されていても、レーザー光２２を受光した第１受光部４６が減速信号４１ａを出力すると共に、レーザー光２２を受光した第２受光部４８が停止信号４１ｂを出力するようにすることにより、フリーアクセスフロアのフロアパネルの支持脚のレベル設定作業を迅速かつ正確に行うことができると共に、装置自体のコスト増加を防止することができるようになっている。
【００９０】
図８は、本発明の第２の実施の形態に係る支持脚レベル設定器５０について説明するために参照する図である。
【００９１】
本実施の形態に係る支持脚レベル設定器５０は、図８（ａ）及び（ｂ）に示すように、ソケット５５を有する本体部５１と、このソケット５５に適合する結合部材５２を備えている点において、前記第１の実施の形態に係る支持脚レベル設定器４０とはその構成が異なるものである。
【００９２】
すなわち、前記第１の実施の形態に係る支持脚レベル設定器４０においては、図１に示すように、結合部材４２の上端部が本体部４１に固定され、本体部４１から結合部材４２と係合部材３３を取り外すことができないようになっていた。
【００９３】
一方、本実施の形態に係る支持脚レベル設定器５０においては、本体部５１の下面にソケット５５が設けられ、図８（ａ）に示すように、ソケット５５に結合部材５２の上端部を差込んだり、図８（ｂ）に示すように、ソケット５５から結合部材５２の上端部を抜き出したりすることができるようになっている。
【００９４】
なお、図８（ｂ）に示すように、結合部材５２の上端部の径は、ソケット５５に差し込むことができるように、結合部材５２の他の部分の径よりも少し細くなっている。
【００９５】
このように、本実施の形態に係る支持脚レベル設定器５０においては、結合部材５２が本体部５１に着脱自在に結合されているため、レベル設定を行う支持脚の形状に応じて、その支持脚に係合可能な係合部材４３に取り換えることができるようになっている。
【００９６】
その他の構成は、前記第１の実施の形態に係る支持脚レベル設定器４０と同様であり、このような本実施の形態に係る支持脚レベル設定器５０によっても、フリーアクセスフロアのフロアパネルの支持脚のレベル設定作業を迅速かつ正確に行うことができると共に、装置自体のコスト増加を防止することができる。
【００９７】
図９は、本発明の第３の実施の形態に係る支持脚レベル設定器６０について説明するために参照する図である。
【００９８】
本実施の形態に係る支持脚レベル設定器６０は、図９に示すように、本体部６１が傾斜検出部６５と音声出力部６６を備えている点において、前記第１の実施の形態に係る支持脚レベル設定器４０とはその構成が異なるものである。
【００９９】
図９（ｂ）に示すように、傾斜センサー６５ａを有する傾斜検出部６５は、支持脚レベル設定器６０の水平方向に対する傾きを検出し、その傾きを示す傾斜信号６５ｂを音声出力部６６に対して出力し、音声出力部６６は、入力された傾斜信号６５ｂに基づいて、支持脚レベル設定器６０の水平方向に対する傾きに応じた音を出力するようになっている。
【０１００】
例えば、支持脚レベル設定器６０が水平方向に対して垂直に近い状態から、水平方向に対して垂直な状態になった場合には、そのことが作業者に分かるように音を変化させている。
【０１０１】
このように、本実施の形態に係る支持脚レベル設定器６０においては、傾斜検出部６５と音声出力部６６を備えているため、音声出力部６６が出力する音により、支持脚レベル設定器６０が水平方向に対して垂直な状態で立設されているか否かを作業者が判断できるようになっている。
【０１０２】
その他の構成は、前記第１の実施の形態に係る支持脚レベル設定器４０と同様であり、このような本実施の形態に係る支持脚レベル設定器６０によっても、フリーアクセスフロアのフロアパネルの支持脚のレベル設定作業を迅速かつ正確に行うことができると共に、装置自体のコスト増加を防止することができる。
【０１０３】
なお、本発明は、前記実施の形態にのみ限定されるものではなく、本発明の目的を達成することができる範囲内であれば、種々の変更が可能である。
【０１０４】
例えば、前記第１ないし第３の実施の形態に係る支持脚レベル設定器４０，５０，６０は、図３に示すように、係合部材４３の下面４３ｃに、スイッチ４３ｇが設けられていたが、スイッチ４３ｇが設けられていなくてもよい。
【０１０５】
そして、本体部４１，５１，６１の上面に設けられたスイッチ４５が、スイッチオン状態になれば駆動部４７のモーター４７ａの回転が開始し、スイッチオフ状態になれば駆動部４７のモーター４７ａの回転が停止するようになっていてもよい。
【０１０６】
また、前記第１ないし第３の実施の形態に係る支持脚レベル設定器４０，５０，６０は、図１，図８，図９に示すように、本体部４１，５１，６１の上面にスイッチ４５が設けられていたが、スイッチ４５が設けられていなくてもよい。
【０１０７】
そして、係合部材４３の下面４３ｃに設けられたスイッチ４３ｇが、スイッチオン状態になれば駆動部４７のモーター４７ａの回転が開始し、スイッチオフ状態になれば駆動部４７のモーター４７ａの回転が停止するようになっていてもよい。
【０１０８】
また、前記第１ないし第３の実施の形態に係る支持脚レベル設定器４０，５０，６０においては、本体部４１，５１，６１の第１受光部４６及び第２受光部４８の高さ位置が固定されていたが、第１受光部４６及び第２受光部４８のそれぞれを上下方向にスライド移動できて、所定の高さ位置でネジ固定できるように構成されていてもよい。
【０１０９】
また、前記第１ないし第３の実施の形態に係る支持脚レベル設定器４０，５０，６０においては、図２，図８，図９に示す結合部４２，５２が図中上下方向に伸縮可能に構成されていなかったが、結合部４２，５２が図中上下方向に伸縮可能に構成されていてもよく、例えば、結合部４２の上側棒状部４２ａ（図２参照）が、図２中上下方向に伸縮できるように構成されていてもよいし、下側棒状部４２ｃ，４２ｄが図２中上下方向に伸縮できるように構成されていてもよい。
【０１１０】
これにより、係合部材４３の下面４３ｃから第１受光部４６及び第２受光部４８の受光窓４６ａ，４８ａまでのそれぞれの距離を、レベル設定作業を行う支持脚２の種類や、レーザー光２２の基礎床３からの高さ位置に応じて調節することができる。
【０１１１】
また、前記第１ないし第３の実施の形態に係る支持脚レベル設定器４０，５０，６０においては、本体部４１，５１，６１の外周側面に、第１受光部４６及び第２受光部４８の受光窓４６ａ，４８ａが設けられていたため、本体部４１，５１，６１の上下方向に伸びる中心軸線から離れた位置に受光窓４６ａ，４８ａが設けられていたが、このような構成に限定される必要はない。
【０１１２】
例えば、本体部４１，５１，６１の上下方向に伸びる中心軸線上、又は中心軸線に近い位置に受光窓４６ａ，４８ａが設けられるように、本体部４１，５１，６１の外周側面に内側に凹んだ凹部が形成され、その凹部に受光窓４６ａ，４８ａが設置されるように構成されていてもよい。
【０１１３】
床面３には、傾斜面や凹凸面が形成された部分があるため、本体部４１，５１，６１の中心軸上、又は中心軸に近い位置に受光窓４６ａ，４８ａが設けられることにより、支持脚レベル設定器４０，５０，６０が傾いた時の受光窓４６ａ，４８ａの高さ位置の誤差を少なくすることができる。
【０１１４】
また、前記第１ないし第３の実施の形態に係る支持脚レベル設定器４０，５０，６０においては、係合部材４３に、支持脚２の上方筒状部１７ｂと突起１９が係合するように係合孔４３ｄ（図３参照）が形成されていたが、支持脚２のパネル支持台１４に係合できるように形成されていれば、係合部材４３はこのような形状に限定される必要はない。
【０１１５】
また、前記第１ないし第３の実施の形態に係る支持脚レベル設定器４０，５０，６０においては、駆動部４７のモーター４７ａが係合部材４３を回転させていたが、このような構成に限定される必要はなく、例えば、本体部４１，５１，６１の上側部分にハンドルが設けられ、そのハンドルを作業者が回すと係合部材４３が回転して、レーザー光２２が第１受光部４６及び第２受光部４８の受光窓４６ａ，４８ａに照射された際に、作業者にハンドルの回転停止を命じる音，光等の信号が発信されるように構成されていてもよい。
【０１１６】
また、前記第３の実施の形態に係る支持脚レベル設定器６０においては、支持脚レベル設定器６０が水平方向に対して垂直な状態で立設されているか否かを作業者が判断できるように、支持脚レベル設定器６０の水平方向に対する傾斜角度に応じた音を出力するように構成されていたが、このような構成に限定される必要はない。
【０１１７】
例えば、支持脚レベル設定器６０が水平方向に対して垂直な状態で立設されている場合にだけ、係合部材４３が回転可能なように構成されていてもよい。
【符号の説明】
【０１１８】
２  支持脚
３  基礎床
４  フロアパネル
６  フリーアクセスフロア
７  高さ固定ボルト
１４  パネル支持台
１４ａ  下方筒状部
１４ｂ  上方筒状部
１４ｃ  メネジ部
１４ｄ  メネジ部
１４ｅ  メネジ孔
１６  脚部
１６ａ  ベースプレート
１６ｂ  支柱
１６ｃ  オネジ部
１８  支持部
１８ａ  支持面
１９  突起
２０  皿ボルト
２０ａ  頭部
２０ｂ  オネジ部
２１  レーザー光発生装置
２２  レーザー光
３０  支持脚レベル設定器
３１  本体部
３２  結合部材
３３  係合部材
３３ａ  係合孔
３４  グリップ
３５  スイッチ
３６  受光部
３６ａ  受光窓
３７  駆動部
３７ａ  モーター
４０  支持脚レベル設定器
４１  本体部
４１ａ  減速信号
４１ｂ  停止信号
４２  結合部材
４２ａ  上側棒状部
４２ｂ  分岐棒状部
４２ｃ  下側棒状部
４２ｄ  下側棒状部
４２ｅ  中心軸線
４３  係合部材
４３ａ  中心軸線
４３ｂ  上面
４３ｃ  下面
４３ｄ  係合孔
４３ｅ  貫通孔
４３ｆ  貫通孔
４３ｇ  スイッチ
４４  グリップ
４５  スイッチ
４６  第１受光部
４６ａ  受光窓
４７  駆動部
４７ａ  モーター
４８  第２受光部
４８ａ  受光窓
５０  支持脚レベル設定器
５１  本体部
５２  結合部材
５５  ソケット
６０  支持脚レベル設定器
６１  本体部
６５  傾斜検出部
６５ａ  傾斜センサー
６５ｂ  傾斜信号
６６  音声出力部
Ｄ  距離
Ｈ  高さ位置
Ｌ１，Ｌ２，Ｌ３  距離
Ｓ１，Ｓ２  回転速度
【図１】
2020106411.tif 000003
【図２】
2020106411.tif 000004
【図３】
2020106411.tif 000005
【図４】
2020106411.tif 000006
【図５】
2020106411.tif 000007
【図６】
2020106411.tif 000008
【図７】
2020106411.tif 000009
【図８】
2020106411.tif 000010
【図９】
2020106411.tif 000011
【図１０】
2020106411.tif 000012
【図１１】
2020106411.tif 000013
【図１２】
2020106411.tif 000014
【図１３】
2020106411.tif 000015